(57)【要約】【課題】放射性のコンクリートスラッジを含む排水の処理に際して、排水のろ過性を向上させるとともに、放射性物質を固形分中に固定化することのできる放射性コンクリートスラッジを含む排水の浄化方法及び浄化装置の提供。【解決手段】放射性コンクリートスラッジを含む排水１の浄化方法であって、排水１にｐＨ調整剤を添加して前記排水１のｐＨを調整するｐＨ調整工程Ｓ１０と、ｐＨの調整された排水１を固液分離して排水１中の固形分を分離する固液分離工程Ｓ２０とを具備する排水浄化方法。【選択図】図１
2018197664.tif 000002
【特許請求の範囲】
【請求項１】
放射性コンクリートスラッジを含む排水の浄化方法であって、
前記排水にｐＨ調整剤を添加して前記排水のｐＨを調整するｐＨ調整工程と、
前記ｐＨの調整された排水を固液分離して前記排水中の固形分を分離する固液分離工程と
を具備することを特徴とする排水浄化方法。
【請求項２】
前記ｐＨ調整工程において、前記排水にｐＨ調整剤である炭酸ガスを添加することを特徴とする請求項１に記載の排水浄化方法。
【請求項３】
前記ｐＨ調整工程において、前記排水にｐＨ調整剤である空気を添加することを特徴とする請求項１に記載の排水浄化方法。
【請求項４】
前記ｐＨ調整工程において、ｐＨ調整剤を添加して前記排水のｐＨを１０．４〜１２．５の範囲に調整することを特徴とする請求項１乃至３のいずれか１項に記載の排水浄化方法。
【請求項５】
前記ｐＨ調整工程において、前記排水の温度は常温であることを特徴とする請求項１乃至４のいずれか１項に記載の排水浄化方法。
【請求項６】
放射性コンクリートスラッジを含む排水を処理する排水浄化装置であって、
前記排水にｐＨ調整剤を添加して前記排水を収容する収容槽と、
前記収容槽内の排水に前記ｐＨ調整剤を添加するｐＨ調整剤添加装置と、
前記ｐＨ調整剤の添加された排水を固液分離して前記排水中の固形分を分離する固液分離装置とを具備することを特徴とする排水浄化装置。
【発明の詳細な説明】
【技術分野】
【０００１】
本発明は、放射性コンクリートスラッジを含む排水の浄化方法及び浄化装置に関する。
【背景技術】
【０００２】
一般的な建設現場等におけるコンクリート構造物の解体・切断時には、ダスト発生防止のために水散布が行われる。この際、コンクリートや金属粉を含む切削排水が発生する。一般的な建設現場等で発生する切削排水は、沈降分離によって上澄み液と沈降物に分離され、上澄み液は排水され、沈降物は開放系で輸送可能な状態まで脱水・乾燥処理される。また、上記沈降分離において、固形分を沈降しやすくするために、有機系高分子剤を添加することも行われる。
【０００３】
コンクリート構造物が原子力施設である場合、廃炉工事などによる、その解体・切断時には、放射性の切削排水が大量に発生することが予想される。このような放射性切削排水の処理においては、切削排水が放射性物質を含むため、安全上、一般建設現場等で行われるような開放系での処理ができない。また、固形分を沈降しやすくするために、有機系高分子剤を添加した場合、固形分中に混在する有機系高分子剤分解することが考えられ、長期の安全性を担保できないおそれがある。
【０００４】
このような放射性切削排水の浄化方法として、放射性コンクリートスラッジを含む廃液を脱水処理し、その後中和処理して放流する方法が提案されている（例えば、特許文献１参照。）。
【先行技術文献】
【特許文献】
【０００５】
【特許文献１】特開２００２−３３３４９６号公報
【発明の概要】
【発明が解決しようとする課題】
【０００６】
切削排水には、コンクリートのスラッジ分が含まれているため、固形分濃度が高い（例えば、１０ｇ／Ｌ程度）ことや、ｐＨが高いという特徴がある。このような、コンクリートスラッジを含む排水を脱水処理する場合、液中に溶解された、コンクリート由来のカルシウムが浮遊物質となるため、ろ過性が悪いという課題があった。一方、放射性物質を含む排水に中和処理を施して、カルシウムを固形化し、その後、ろ過しようとすると、中和によって排水のｐＨが下がり、固形分中に含有された放射性物質が溶解して液中に溶出するという課題があった。
【０００７】
本発明は、放射性のコンクリートスラッジを含む排水の処理に際して、排水のろ過性を向上させるとともに、放射性物質を固形分中に固定化することのできる放射性コンクリートスラッジを含む排水の浄化方法及び浄化装置を提供することを目的とする。
【課題を解決するための手段】
【０００８】
本発明の排水浄化方法の一態様は、放射性コンクリートスラッジを含む排水の浄化方法であって、前記排水のｐＨを調整するｐＨ調整工程と、前記ｐＨの調整された排水を固液分離して前記排水中の固形分を分離する固液分離工程とを具備する。
【０００９】
本発明の排水浄化装置の一態様は、放射性コンクリートスラッジを含む排水を処理する排水浄化装置であって、前記排水にｐＨ調整剤を添加して前記排水を収容する収容槽と、前記収容槽内の排水にｐＨ調整剤を添加するｐＨ調整剤添加装置と、前記ｐＨ調整剤の添加された排水を固液分離して前記排水中の固形分を分離する固液分離装置とを具備する。
【発明の効果】
【００１０】
本発明によれば、放射性のコンクリートスラッジを含む排水の処理に際して、排水のろ過性を向上させるとともに、放射性物質を固形分中に固定化することのできる放射性コンクリートスラッジを含む排水の浄化方法及び浄化装置を提供できる。
【図面の簡単な説明】
【００１１】
【図１】実施形態に係る排水浄化方法を概略的に示すフロー図である。
【図２】実施形態に係る排水浄化装置を概略的に示すブロック図である。
【発明を実施するための形態】
【００１２】
以下、図面を参照して、実施形態を詳細に説明する。
（第１の実施形態）
図１は、本実施形態に係る排水浄化方法を概略的に示すフロー図である。図１に示すように、本実施形態に係る排水浄化方法は、放射性コンクリートスラッジを含む排水（以下、単に「排水」という。）１のｐＨを調整するｐＨ調整工程Ｓ１０と、ｐＨの調整された排水１を固液分離して排水１中の固形分２を分離する固液分離工程Ｓ２０とを有している。
【００１３】
また、図２は、本実施形態に係る排水浄化装置１０を概略的に示すブロック図である。図２に示すように、本実施形態に係る排水浄化装置１０は、排水１を収容する収容槽１１と、収容槽１１内の排水１にｐＨ調整剤４を添加するｐＨ調整剤添加装置１２と、ｐＨ調整剤４の添加された排水１を固液分離する固液分離装置１３を備えている。
【００１４】
排水１は、放射性コンクリートスラッジを含む排水である。排水１は、例えば、原子力施設等、放射性のコンクリート構造物を切断する際に発生し、コンクリートスラッジと水とを含む。また、コンクリートスラッジには放射性物質が含まれる。このような放射性物質としては、例えば、放射性のＳｒ、Ｃａ、Ｆｅ、Ｃｓ等である。
【００１５】
本実施形態に係る排水浄化方法では、図２に示す収容槽１１内に排水１が収容され、ｐＨ調整剤添加装置１２によって、収容槽１１内の排水１にｐＨ調整剤４が添加される（ｐＨ調整工程Ｓ１０）。
【００１６】
ｐＨ調整剤４は、例えば炭酸ガスである。排水１中に炭酸ガスが添加されることで、水中に溶解したＣａが固形化される。そのため、排水１のろ過比抵抗が低下され、続く固液分離工程Ｓ２０における排水１のろ過性を向上させることができる。また、排水１中に炭酸ガスが添加されることで、Ｃａ以外にも、放射性物質、例えばＳｒを固形分中に沈降させて、放射性物質の液中濃度を低減することができる。
【００１７】
排水１中に炭酸ガスを添加する方法としては、排水１中に常温で二酸化炭素のガスをバブリングする方法が簡便である。また、二酸化炭素を含む気体をバブリングしてもよい。例えば、二酸化炭素が入手し難い場合には、二酸化炭素を含む空気を用いることができる。
【００１８】
炭酸ガスの添加された排水１のｐＨは１０．４〜１２．５の範囲であることが好ましい。排水１のｐＨが１０．４以上であると、水中のＣａ濃度低下によるろ過性の向上効果が得易い。また、排水１のｐＨが１２．５以下であると、放射性物質の沈降による水中濃度の低減効果が向上する。
【００１９】
炭酸ガスの添加量は例えば、排水１中のＣａ濃度や放射性物質濃度にもよるが、排水１の１Ｌあたり３０〜１５０ｍＬ／ｍｉｎである。炭酸ガスの添加量は、多くなると放射性物質の沈降効果の向上が顕著であるため、特に好ましくは排水１Ｌあたり１５０ｍＬ／ｍｉｎ程度である。また、空気の添加量は例えば、排水１の１Ｌあたり５Ｌ／ｍｉｎである。
【００２０】
次いで、図２に示す固液分離装置１３によって、ｐＨ調整剤４を含む排水１が固液分離される。これにより、排水１は、固形分２と、固形分２の除去された上澄み液３に分離される（固液分離工程Ｓ２０）。固液分離装置１３としては、フィルタープレス装置等が用いられる。この際、ｐＨ調整工程Ｓ１０において、Ｃａが固形化されることによって液中のＣａ濃度が低減されているため、ｐＨ調整を行わずに固液分離を行う場合に比べてろ過性が向上される。
【００２１】
固形分２中には、コンクリートスラッジのほか、排水１中に溶解してｐＨ調整剤４により固形化した放射性のＣａ、Ｓｒ等の放射性物質が含まれる。固形分２は、安定化処理（Ｓ３０）された後、保管ないし貯蔵される。
【００２２】
上澄み液３は、必要に応じて、吸着剤等によって上澄み液３中に残留する放射性物質が吸着除去され、さらに、ろ過処理（Ｓ４０）されるなどの後処理が施されて環境排水基準を満たした後、放出される。
【００２３】
以上説明した本実施形態の排水の浄化方法及び浄化装置によれば、放射性のコンクリートスラッジを含む排水の処理に際して、排水のｐＨ調整を行った後に固液分離をすることで、排水のろ過性を向上させるとともに、放射性物質を固形分中に固定化することができる。
【実施例】
【００２４】
（実施例１）
本実施例では、ｐＨ調整による放射性物質の沈降効果について調べた。排水として、酸化ケイ素（ＳｉＯ２）や炭酸カルシウム（ＣａＣＯ３）を主成分とするコンクリートをバンドソーで切断した際に発生したコンクリート切削排水を用いた。コンクリート切削排水を撹拌し、その後１時間静置して、上澄み液の１．０Ｌを分取した。上澄み液のｐＨは１２．７であった。この上澄み液に炭酸ガスを１５０ｍＬ／ｍｉｎの流量で添加した。炭酸ガスの添加を続けながら、添加開始から表１に示す時間経過毎に上澄み液のｐＨ測定とサンプリングを行い、サンプリングした上澄み液中の元素濃度を誘導結合プラズマ質量分析機（ＩＣＰ−ＭＳ）によって測定した。結果を表１に示す。
【００２５】
【表１】
2018197664.tif 000003
【００２６】
表１に示す結果から、コンクリート切削排水中のＣａ、Ｓｒ濃度は、炭酸ガスを添加することで、添加前に対して９９％以上低減されたことが分かる。なお、実施例１では、コンクリート切削排水のろ過比抵抗は、炭酸ガス添加前で５．７×１０１３ｍ／ｋｇ、炭酸ガス５分添加後で３．０×１０１１ｍ／ｋｇと、炭酸ガス添加により低減された。
【００２７】
（実施例２）
本実施例では、上記実施例１と同様のコンクリート切削排水の上澄み液（ｐＨ１２．９）の１．０Ｌに、炭酸ガスを３０〜４０ｍＬ／ｍｉｎの流量で添加した。炭酸ガスの添加を続けながら、炭酸ガスの添加開始から表２に示す時間経過毎にｐＨの測定と上澄み液のサンプリングを行い、サンプリングした上澄み液中の元素濃度をＩＣＰ−ＭＳによって測定した。結果を表２に示す。なお、実施例２では、コンクリート切削排水のろ過比抵抗は、炭酸ガス添加前で５．７×１０１３ｍ／ｋｇ、炭酸ガス６０分添加後で３．３×１０１１ｍ／ｋｇと、炭酸ガス添加により低減された。
【００２８】
【表２】
2018197664.tif 000004
【００２９】
表２に示す結果から、コンクリート切削排水中のＣａ、Ｓｒ濃度は炭酸ガスを添加することで、添加前に対してＣａ濃度は９９％以上、Ｓｒ濃度は最大で９６％低減されたことが分かる。
【００３０】
（実施例３）
本実施例では、上記実施例１と同様のコンクリート切削排水の上澄み液（ｐＨ１２．６）の１．０Ｌに、空気を５Ｌ／ｍｉｎの流量で添加した。空気の添加を続けながら、空気の添加開始から表３に示す時間経過毎にｐＨの測定と上澄み液のサンプリングを行い、サンプリングした上澄み液中の元素濃度をＩＣＰ−ＭＳによって測定した。結果を表３に示す。なお、実施例３では、コンクリート切削排水のろ過比抵抗は、空気添加前で５．７×１０１３ｍ／ｋｇ、空気１０００分添加後で３．７×１０１０ｍ／ｋｇと、空気添加により低減された。
【００３１】
【表３】
2018197664.tif 000005
【００３２】
表３に示す結果から、コンクリート切削排水中のＣａ、Ｓｒ濃度は、空気の添加によっても、低減されたことが分かる。
【００３３】
上記実施例より、実施形態の排水の浄化方法及び浄化装置によれば、放射性のコンクリートスラッジを含む排水の処理に際して、排水のｐＨ調整を行った後に固液分離をすることで、排水のろ過性を向上させるとともに、放射性物質を固形分中に固定化することができる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１…排水、２…固形分、３…上澄み液、４…ｐＨ調整剤、１０…排水浄化装置、１１…収容槽、１２…ｐＨ調整剤添加装置、１３…固液分離装置、Ｓ１０…ｐＨ調整工程、Ｓ２０…固液分離工程。
【図１】
2018197664.tif 000006
【図２】
2018197664.tif 000007